(57)【要約】      （修正有）【課題】枠組足場内が視認できると共に、施工が容易で、軽量、且つ、簡素な構成の枠組足場用幅木を提供する。【解決手段】幅木本体３２と、筋違取付け用ロックピン１３に取り付けるべく、幅木本体３２の上部両端に突設させたブラケット３３と、建枠の上端に横架される横材１２に係止させるべく、幅木本体３２の下部両端に突設させたフック３４とを備えた枠組足場用幅木３１を提供する。ブラケット３３には、筋違取付け用ロックピン１３を嵌挿させる嵌挿孔３５が開穿されている。幅木本体３２は、外枠体３６内に網部３７が張設されている。枠組足場用幅木３１を枠組足場に取り付ける場合は、枠組足場用幅木３１のフック３４を建枠の横材１２に係止させ、建枠の脚柱１１の内側下部に設けた筋違取付け用ロックピン１３に筋違５及びアームロック１５と共に嵌挿孔３５を嵌挿させてブラケット３３を取り付ける。【選択図】図３
0003153438.tif 000002
【実用新案登録請求の範囲】
【請求項１】
幅木本体と、建枠の両脚柱内側下部に突設して設けられた筋違取付け用ロックピンに取り付けるべく、前記幅木本体の上部両端に突設させたブラケットと、前記建枠の両脚柱上端に横架される横材に係止させるべく、前記幅木本体の下部両端に突設させたフックとを備えたことを特徴とする枠組足場用幅木。
【請求項２】
前記ブラケットには、前記筋違取付け用ロックピンを嵌挿させる嵌挿孔が開穿されていることを特徴とする請求項１記載の枠組足場用幅木。
【請求項３】
前記幅木本体は、前記幅木本体の外枠体内に網部が張設されていることを特徴とする請求項１又は２記載の枠組足場用幅木。
【考案の詳細な説明】
【技術分野】
【０００１】
本考案は、施工が容易で、軽量、且つ、簡素な構成の枠組足場用幅木に関するものである。
【背景技術】
【０００２】
図１０に於いて、１は、従来例の枠組足場を示し、枠組足場１は、敷板２上に立設させた既製の複数の建枠３を、鋼製布板４と筋違５と適宜接合金具とを用いて所定長さ、所定高さに組み立て、その組み立てた構築体中に、昇降するための階段枠６を適宜組込み、最上段の建枠３には、複数の親綱支柱７を立設し、親綱支柱７間に親綱８を張設したものである。
図１０に於いて、９は根がらみをとるための単管パイプであり、１段目の建枠３を組み立てるときに取り付ける。
【０００３】
図１１は前記建枠３を示し、建枠３は、両脚柱１１の上端に横材１２が両端を固着され掛架されている。
建枠３には、筋違５を取り付けるため、左右の脚柱１１の内側上部と内側下部に筋違取付け用ロックピン１３が設けられている。
【０００４】
図１２は前記建枠３の上下方向の組み立て方法を示しており、下段の建枠３と上段の建枠３とは下段の建枠３の両脚柱１１の上端と、上段の建枠３の両脚柱１１の下端とに挿入されるロック付連結ピン１４によって夫々接続され、上段の建枠３の両脚柱１１の内側下部に設けられた筋違取付け用ロックピン１３と、下段の建枠３の両脚柱１１の内側上部に設けられた筋違取付け用ロックピン１３とにアームロック１５が掛架され、上段の建枠３と下段の建枠３とを連結するロック付連結ピン１４の連結が外れることを防止している。
【０００５】
図１３（ａ）は、前記筋違取付け用ロックピン１３の拡大図であり、ロックピン本体１６の先端部に設けた留めピン１７の先端が常時付勢されてロックピン本体１６の外周から突出していることにより、筋違５の取り付けが外れない構成となっている。筋違５を外す時は留めピン１７を押し込めば良い。尚、アームロック１５も同様に取り付けられる。
図１３（ｂ）は、前記筋違取付け用ロックピン１３に代えて設けることができる他の筋違取付け用ロックピン１８を示し、筋違取付け用ロックピン１８は、留めピン１９がロックピン本体１６の先端部に回動自在に設けられ、ロックピン本体１６に対して平行状態又は直交状態の回動位置になった時、付勢されてその回動位置を保持するように構成されている。
直交状態の回動位置になった時、留めピン１９がロックピン本体１６から突出して筋違５の取り付けが外れない構成となっており、筋違５を外す時は留めピン１９をロックピン本体１６に対して平行状態にすれば良い。
【０００６】
前記枠組足場に於いては、従来から安全確保のため幅木を取り付けていた。そして、従来の幅木は例えば鋼製足場板等を番線で結束する等、鋼製足場板等を幅木として活用することが多かった。
然しながら、鋼製足場板等を幅木として活用する場合、番線の結束が煩雑であり、或いは、継ぎ部は重ね結束となり見栄えも悪かった。
また、鋼製足場板は、重量的に７ｋｇ／枚程度の重さがあり、鋼製足場板等を幅木として活用する場合、その重さによる作業性の悪化を招いていた。
一方、アルミ製の幅木が存在しているが、取り扱いに問題があり、又、コスト高となるという問題があった。
【０００７】
此種技術の先行文献として、例えば、特許文献１があり、特許文献１には、円弧状の板ばね式はさみ金具によって建枠の脚柱を側面から挟んで枠組み足場に取り付ける構造の幅木が記載されている。
【先行技術文献】
【特許文献】
【０００８】
【特許文献１】特開平１１−１４１１１６号公報
【考案の概要】
【考案が解決しようとする課題】
【０００９】
前述したように、鋼製足場板等を活用した幅木は、番線の結束が煩雑であり、或いは、継ぎ部が重ね結束となり見栄えも悪く、重くて作業性の悪いものであった。
又、アルミ製の幅木は、取り扱い上の問題や、コスト高となる問題があった。
更に、特許文献１は、円弧状の板ばね式はさみ金具を備えるものであるが、円弧状の板ばね式はさみ金具自体や、その取り付けがコスト高となり、或いは、幅木を積み重ねる際に、板ばね式はさみ金具が積み重ねの邪魔になったり、板ばね式はさみ金具が損傷する等の虞がある。
尚、近年の法改正により、幅木等の設置が義務付けられている。
【００１０】
以上の現状に鑑み、本考案は、枠組足場内が視認できると共に、施工が容易で、軽量、且つ、簡素な構成の枠組足場用幅木を提供することを目的とする。
【課題を解決するための手段】
【００１１】
上記の課題を解決すべく、本考案は以下の構成を提供する。
請求項１に係る考案は、幅木本体と、建枠の両脚柱内側下部に突設して設けられた筋違取付け用ロックピンに取り付けるべく、前記幅木本体の上部両端に突設させたブラケットと、前記建枠の両脚柱上端に横架される横材に係止させるべく、前記幅木本体の下部両端に突設させたフックとを備えたことを特徴とする枠組足場用幅木を提供するものである。
【００１２】
請求項２に係る考案は、前記ブラケットには、前記筋違取付け用ロックピンを嵌挿させる嵌挿孔が開穿されていることを特徴とする請求項１記載の枠組足場用幅木を提供するものである。
【００１３】
請求項３に係る考案は、前記幅木本体は、前記幅木本体の外枠体内に網部が張設されていることを特徴とする請求項１又は２記載の枠組足場用幅木を提供するものである。
【考案の効果】
【００１４】
本考案の請求項１記載の考案によれば、施工が容易で、軽量、且つ、簡素な構成の枠組足場用幅木を提供することができる。
【００１５】
請求項２記載の考案によれば、請求項１記載の考案の効果に加え、筋違取付け用ロックピンを嵌挿孔に嵌挿させることにより、ブラケットを容易に筋違取付け用ロックピンに取り付けることができ、枠組足場用幅木の取付が極めて容易である。
【００１６】
請求項３記載の考案によれば、外枠体内に網部が張設されているので、網部を通して外部から枠組足場内の整理・整頓や清掃状況を視認でき、安全衛生上、極めて効果的である。
【図面の簡単な説明】
【００１７】
【図１】本考案による枠組足場用幅木を枠組足場に取り付けた状態を示す斜視図である。
【図２】本考案による枠組足場用幅木の正面図である。
【図３】本考案による枠組足場用幅木を枠組足場に取り付けた状態を示す拡大正面図である。
【図４】本考案による枠組足場用幅木を枠組足場に取り付けた状態を示す拡大側面図である。
【図５】本考案による枠組足場用幅木を示した写真である。
【図６】本考案による枠組足場用幅木の取り付け状況を枠組足場内から見た写真である。
【図７】本考案による枠組足場用幅木を枠組足場に取り付けた状況を外部から見た写真である。
【図８】左図は、枠組足場に取り付けた本考案による枠組足場用幅木と、アームロックの取り付け状況を外部から見た写真である。中央図は、筋違取付け用ロックピンに取り付けたブラケットの拡大写真である。右図は、枠組足場用幅木の取り付け状況を枠組足場内から見た写真である。
【図９】筋違取付け用ロックピンに取り付けた本考案による枠組足場用幅木を枠組足場内から見た拡大写真である。
【図１０】従来例の枠組足場の斜視図である。
【図１１】従来例の建枠の正面図である。
【図１２】従来例の建枠を上下方向に組み立てる場合の説明図である。
【図１３】（ａ）従来例の筋違取付け用ロックピンの正面図である。（ｂ）従来例の他の筋違取付け用ロックピンの正面図である。
【考案を実施するための形態】
【００１８】
以下、実施例を示した図面を参照しつつ本考案の実施の形態を説明する。尚、説明の都合上、従来例と同一構成部分については同一符号を付してその説明を省略する。
【実施例１】
【００１９】
図１に於いて、３１は、枠組足場１に取り付けた本考案による枠組足場用幅木を示す。
枠組足場用幅木３１は、図１に示す如く、枠組足場１の最上段を除く全ての段の建枠３の上部の表側と裏側（図１に於いて、建枠３の左側と右側）とに夫々取り付けられる。但し、図１に示す最上段から、更に、上段への組み立てが行なわれる場合は、図１に示す最上段の建枠３の上部にも枠組足場用幅木３１が取り付けられる。
枠組足場用幅木３１は、図２に示す如く、略方形状の幅木本体３２と、建枠（図１に於いて３）の両脚柱（図１に於いて１１）内側下部に突設して設けられた筋違取付け用ロックピン（図３に於いて１３）に取り付けるべく、幅木本体３２の上部両端に突設させたブラケット３３と、建枠（図１に於いて３）の両脚柱（図１に於いて１１）上端に横架される横材（図３に於いて１２）に係止させるべく、前記幅木本体３２の下部両端に突設させたフック３４とを備えている。
【００２０】
そして、前記ブラケット３３には、筋違取付け用ロックピン１３を嵌挿させる嵌挿孔３５が開穿されている。
又、前記幅木本体３２は、幅木本体３２の外枠を構成する外枠体３６内に網部３７が全面に及んで張設されている。網部３７は、例えばエキスパンドメタルによって形成されるが、所定の強度を有するその他の網体であっても良い。
【００２１】
図３及び図４は、前記枠組足場用幅木３１の取付け方法を示しており、枠組足場用幅木３１のフック３４を建枠３の横材１２に載置して係止させ、建枠３の脚柱１１の内側下部に設けた筋違取付け用ロックピン１３に先に筋違５及びアームロック１５が取り付けられた状態で、筋違取付け用ロックピン１３を嵌挿孔３５に嵌挿させ、嵌挿後ロックすることによりブラケット３３を取り付け、それによって枠組足場用幅木３１を枠組足場１に取り付ける。
前述の如く、左右のフック３４が係止され、左右のブラケット３３が取り付けられことにより、枠組足場用幅木３１は容易に、且つ、強固に枠組足場１に取り付けられる。
【００２２】
本考案の枠組足場用幅木３１は、フック３４を横材１２に載置して係止させ、ブラケット３３の嵌挿孔３５に筋違取付け用ロックピン１３を嵌挿させれば枠組足場１に取り付けられるので、施工が極めて容易である。
又、本考案の枠組足場用幅木３１は、外枠体３６内に網部３７が全面に及んで張設されているので、網部３７を通して外部から枠組足場１内の整理・整頓や清掃状況を視認することができる。
【００２３】
図５乃至図９は、試作した本考案の枠組足場用幅木３１又はその取り付け状態を示す写真である。
図５は、枠組足場用幅木３１の写真である。
図６は、枠組足場用幅木３１の取り付け状況を枠組足場内から見た写真である。
図７は、枠組足場１に取り付けた枠組足場用幅木３１の取り付け状況を外部から見た写真である。この状態で、枠組足場１内の整理・整頓や清掃状況を外部から視認することができる。
図８の左図は、枠組足場１に取り付けた枠組足場用幅木３１と、アームロック１５の取り付け状況を外部から見た写真である。
図８の中央図は、筋違取付け用ロックピン１３に取り付けたブラケット３３の拡大写真である。
図８の右図は、枠組足場用幅木３１の取り付け状況を枠組足場内から見た写真である。
図９は、筋違取付け用ロックピン１８に取り付けたブラケット３３の拡大写真である。
【符号の説明】
【００２４】
３  建枠
１２  横材
１３，１８  筋違取付け用ロックピン
３１  枠組足場用幅木
３２  幅木本体
３３  ブラケット
３４  フック
３５  嵌挿孔
３６  外枠体
３７  網部
【図１】
0003153438.tif 000003
【図２】
0003153438.tif 000004
【図３】
0003153438.tif 000005
【図４】
0003153438.tif 000006
【図１０】
0003153438.tif 000007
【図１１】
0003153438.tif 000008
【図１２】
0003153438.tif 000009
【図１３】
0003153438.tif 000010
【図５】
0003153438.tif 000011
【図６】
0003153438.tif 000012
【図７】
0003153438.tif 000013
【図８】
0003153438.tif 000014
【図９】
0003153438.tif 000015